(57)【要約】  着用可能吸収性物品は、外側カバーと、吸収性コアアセンブリと、を備える。少なくとも外側カバーの一部は、少なくとも第１取り付け領域及び第２取り付け領域上で吸収性コアアセンブリに接合されている。第２取り付け領域の横方向全幅は、第１取り付け領域の横方向全幅よりも小さい。第２取り付け領域の少なくとも一部は、物品の臀部に配置されている。第１取り付け領域は、第２取り付け領域から長手方向外側に配置されている。
2012525951.tif 000002
【特許請求の範囲】
【請求項１】
外側カバーと、吸収性コアアセンブリと、を含む着用可能吸収性物品であって、
前記外側カバーの少なくとも一部が、少なくとも
第１領域の横方向全幅を有する第１取り付け領域と、
第２取り付け領域と、
に渡って前記吸収性コアアセンブリに接合されており、
前記第２取り付け領域の少なくとも一部が、当該物品の第１臀部に配置されており、
前記第１臀部に配置されている前記第２取り付け領域の前記一部が、前記第１領域の横方向全幅よりも小さい第２領域の横方向全幅を有し、
前記第１臀部が、当該物品の全ピッチの３０％以下である長手方向全長を有し、
前記第１取り付け領域が、前記第２取り付け領域から長手方向外側に配置されている、着用可能吸収性物品。
【請求項２】
前記外側カバーが、前記第２取り付け領域からすぐ横方向外側に配置された、横方向に伸縮性がある領域を含む、請求項１に記載の着用可能吸収性物品。
【請求項３】
前記第１取り付け領域で、前記第１取り付け領域の横方向全幅が、前記吸収性コアアセンブリの横方向全幅よりも小さい、請求項１又は２に記載の着用可能吸収性物品。
【請求項４】
前記第１取り付け領域で、前記第１取り付け領域の横方向全幅が、前記吸収性コアアセンブリの横方向全幅の９５％未満である、請求項１〜３のいずれか一項に記載の着用可能吸収性物品。
【請求項５】
前記第１取り付け領域が、当該物品の腰縁部に隣接して配置されている、請求項１〜４のいずれか一項に記載の着用可能吸収性物品。
【請求項６】
前記第１臀部が、当該物品の脚部開口縁部の長手方向外側最遠点から長手方向外側に配置されている、請求項１〜５のいずれか一項に記載の着用可能吸収性物品。
【請求項７】
前記第２取り付け領域全体が、前記第１臀部に配置されている、請求項１〜６のいずれか一項に記載の着用可能吸収性物品。
【請求項８】
前記吸収性コアアセンブリが、前記第１取り付け領域及び前記第２取り付け領域の少なくとも１つを通じて前記外側カバーに永続的に接続されている、請求項１〜７のいずれか一項に記載の着用可能吸収性物品。
【請求項９】
前記吸収性コアアセンブリの少なくとも一部が、前記第２領域の横方向全幅とは異なる第３領域の横方向全幅を有する少なくとも１つの第３取り付け領域によって前記外側カバーに接合されており、
前記第３取り付け領域が、前記第２取り付け領域に対して長手方向内側にある、請求項１〜８のいずれか一項に記載の着用可能吸収性物品。
【請求項１０】
使い捨て着用可能吸収性物品である、請求項１〜９のいずれか一項に記載の着用可能吸収性物品。
【発明の詳細な説明】
【技術分野】
【０００１】
広くは、本開示の実施形態は着用可能吸収性物品に関する。具体的には、本開示の実施形態は、伸縮性外側カバーを有する着用可能吸収性物品に関する。
【背景技術】
【０００２】
着用可能吸収性物品としては、おむつ及び失禁用衣類が挙げられる。多くの着用可能吸収性物品は、物品の外側を形成する外側カバーを含む。大きさを拡大できる伸縮性材料で外側カバーを作製することは、有用であり得る。例えば、伸縮性外側カバーを有する着用可能吸収性物品は、着用者の様々な寸法に適合するように伸張可能である。伸縮性外側カバーは、着用者の移動時に着用者の身体に適合するように伸張することもできる。多くの着用可能吸収性物品はまた、体外排泄物を受容する、収容する、及び吸収するための吸収性コアアセンブリを含む。
【発明の概要】
【発明が解決しようとする課題】
【０００３】
構造的な一体性をもたらし、吸収性コアアセンブリを支持するために、アセンブリを外側カバーに接合することができる。残念ながら、吸収性コアアセンブリの伸縮性外側カバーへの接合が不十分な場合、着用可能吸収性物品は良好に機能しないことがある。吸収性コアアセンブリの伸縮性外側カバーへの接合が過剰な場合、外側カバーを伸張できる程度が制限されることがある。着用可能吸収性物品は、見栄えがしないか、又は不快に感じることがある。伸縮性外側カバーへの接合が不充分な吸収性コアアセンブリは、物品内で不適切に配置されることがある。不適切に配置されたコアアセンブリは、物品の腰縁部を超えて延在することがあり、したがって物品は見栄えがよくない。また、不適切に配置されたコアアセンブリでは、体外排泄物の収容が困難であり、漏れが生じることがある。
【課題を解決するための手段】
【０００４】
本開示は、伸縮性外側カバーに好適に接合された吸収性コアアセンブリを備える着用可能吸収性物品を含む。吸収性コアアセンブリには十分な構造的一体性及び支持体が備わっている一方で、伸縮性外側カバーは、相当程度まで伸張できる。これは、戦略的に適切な寸法であり、物品内に配置される取り付け領域によって、吸収性コアアセンブリが伸縮性外側カバーに接合されるためである。
【０００５】
例として、着用可能吸収性物品は、吸収性コアアセンブリと、伸縮性外側カバーとを有してもよい。吸収性コアアセンブリは、幅広の第１取り付け領域及び幅狭の第２取り付け領域によって伸縮性外側カバーに接合されていてもよい。幅狭の第２取り付け領域は物品の臀部に配置されていてもよく、幅広の第１取り付け領域は、第２取り付け領域から長手方向外側に配置されていてもよい。
【０００６】
物品の長手方向外側に配置された比較的幅広の第１取り付け領域は、吸収性コアアセンブリの縁部に十分な構造的支持をもたらしてもよいが、これは特に有用である。物品の臀部に配置された比較的幅狭の第２取り付け領域によって着用者の身体の長い周囲における相当程度の伸張性が実現するが、これは特に有益である。したがって、本開示の着用可能吸収性物品では、吸収性コアアセンブリは、漏れにくいけれども、物品の見栄えがよくて快適に感じることができるように、伸縮性外側カバーに好適に接合される。
【図面の簡単な説明】
【０００７】
【図１Ａ】本開示の実施形態による、伸縮性外側カバーに接合された収性コアアセンブリを含む、着用するために形成されたパンツ型着用可能吸収性物品の斜視図。
【図１Ｂ】本開示の実施形態による、伸縮性外側カバーに接合された吸収性コアアセンブリを含む、平らな非収縮状態に広げられたパンツ型着用可能吸収性物品の内側の平面図。
【図１Ｃ】本開示の実施形態による、伸縮性外側カバーに接合された吸収性コアアセンブリを含む、平らな非収縮状態に広げられたパンツ型着用可能吸収性物品の内側の平面図。
【図１Ｄ】本開示の実施形態による、伸縮性外側カバーに接合された吸収性コアアセンブリを含む、平らな非収縮状態に広げられたパンツ型着用可能吸収性物品の内側の平面図。
【図１Ｅ】本開示の実施形態による、伸縮性外側カバーに接合された吸収性コアアセンブリを含む、平らな非収縮状態に広げられたパンツ型着用可能吸収性物品の内側の平面図。
【図１Ｆ】本開示の実施形態による、伸縮性外側カバーに接合された吸収性コアアセンブリを含む、着用するために形成されたパンツ型着用可能吸収性物品の斜視図。
【図２Ａ】本開示の実施形態による、伸縮性外側カバーに接合された吸収性コアアセンブリを含む、着用するために形成された前側締結可能な着用可能吸収性物品の斜視図。
【図２Ｂ】本開示の実施形態による、伸縮性外側カバーに接合された吸収性コアアセンブリを含む、平らな非収縮状態に広げられた前側締結可能な着用可能吸収性物品の内側の平面図。
【図２Ｃ】本開示の実施形態による、伸縮性外側カバーに接合された吸収性コアアセンブリを含む、平らな非収縮状態に広げられた前側締結可能な着用可能吸収性物品の内側の平面図。
【図２Ｄ】本開示の実施形態による、伸縮性外側カバーに接合された吸収性コアアセンブリを含む、平らな非収縮状態に広げられた前側締結可能な着用可能吸収性物品の内側の平面図。
【図２Ｅ】本開示の実施形態による、伸縮性外側カバーに接合された吸収性コアアセンブリを含む、平らな非収縮状態に広げられた前側締結可能な着用可能吸収性物品の内側の平面図。
【図３Ａ】本開示の実施形態による、多数の取り付け領域を備えた、伸縮性外側カバーに接合した吸収性コアアセンブリを含む、平らな非収縮状態に広げられた着用可能吸収性物品の一部の内側の平面図。
【図３Ｂ】図３Ａの実施形態の着用可能吸収性物品の一部の断面側面図。
【図３Ｃ】本開示の実施形態による、多数の取り付け領域を備えた、伸縮性外側カバーに接合された吸収性コアアセンブリを含む、平らな非収縮状態に広げられた着用可能吸収性物品の一部の内側の平面図。
【図４】本開示の実施形態による、多数の取り付け領域を備えた、伸縮性外側カバーに接合された吸収性コアアセンブリを含む、平らな非収縮状態に広げられた着用可能吸収性物品の別の部分の内側の平面図。
【図５Ａ】本開示の実施形態による、取り付け領域上で伸縮性外側カバーの一部に接合された吸収性コアアセンブリを備える着用可能吸収性物品の一部を示す。
【図５Ｂ】図５Ａの実施形態の断面図。
【図６Ａ】本開示の実施形態による、取り付け領域上で伸縮性外側カバーの一部に接合された吸収性コアアセンブリの一部を備える着用可能吸収性物品の一部を示す。
【図６Ｂ】図６Ａの実施形態の断面図。
【図７Ａ】本開示の実施形態による、取り付け領域上で伸縮性外側カバーの一部に接合された吸収性コアアセンブリの一部を備える着用可能吸収性物品の一部を示す。
【図７Ｂ】図７Ａの実施形態の断面図。
【図８Ａ】本開示の実施形態による、取り付け領域上で伸縮性外側カバーの一部に接合された吸収性コアアセンブリの一部を備える着用可能吸収性物品の一部を示す。
【図８Ｂ】図８Ａの実施形態の断面図。
【図９Ａ】本開示の実施形態による、取り付け領域上で伸縮性外側カバーの一部に接合された吸収性コアアセンブリの一部を備える着用可能吸収性物品の一部を示す。
【図９Ｂ】図９Ａの実施形態の断面図。
【図１０Ａ】本開示の実施形態による、取り付け領域上で伸縮性外側カバーの一部に接合された吸収性コアアセンブリの一部を備える着用可能吸収性物品の一部を示す。
【図１０Ｂ】図１０Ａの実施形態の断面図。
【発明を実施するための形態】
【０００８】
本開示の取り付け領域は、あらゆる種類の吸収性物品と共に使用され得る。吸収性物品は、排泄物（例えば、尿、経血、糞便など）を受容し、吸収できる。吸収性物品の例には、生理用品、衛生用品が挙げられる。
【０００９】
一部の吸収性物品は着用可能である。着用可能吸収性物品は、着用者の身体の胴体下部又はその周囲に着用されるよう構成される。着用可能吸収性物品の例としては、おむつ及び失禁用下着が挙げられる。着用可能吸収性物品は、着用者により着用されている間、排泄物を受容し収容することができる。着用可能吸収性物品は、本開示の実施形態を使用することができる。
【００１０】
一部の吸収性物品は使い捨てである。使い捨て吸収性物品は、一度使用した後に全体的に廃棄されるように構成されている。使い捨て吸収性物品は、汚れた物品が復元及び再使用されることを意図していない（例えば、洗濯されることを意図していない）ように構成されている。使い捨て吸収性物品の例としては、パッド及びライナーなど女性用ケア製品が挙げられる。使い捨て吸収性物品は、本開示の実施形態を使用することができる。
【００１１】
一部の吸収性物品は再利用可能である。再利用可能吸収性物品は、部分的又は全体的に１回以上使用されるように構成されている。再利用可能吸収性物品は、物品の一部又は全体が耐久性のある、又は洗濯に対して耐摩耗性のある、又は完全に洗濯可能であるように構成されている。再利用可能吸収性物品の一例は、洗濯可能な外側カバーを備えるおむつである。再利用可能吸収性物品は、本開示の実施形態を使用することができる。
【００１２】
本開示の図は、本明細書に記載の要素、それらの部品、及びそれらの関係を例示することを意図しているが、これらの図は、特に指定のない限り、あらゆる特定の相対的又は絶対的サイズ又は寸法を例示することを意図していない。これらの図は、本明細書に記載されるように、吸収性コアアセンブリを伸縮性外側カバーに接合するための取り付け領域を備える、様々な着用可能吸収性物品を示す。明確にするために、これらの図は、物品のすべての詳細を示すわけではない。図１Ａ〜２Ｃの取り付け領域は、本開示の実施形態のいずれかに従って構成されていてもよい。
【００１３】
図１Ａは、本開示の実施形態による、伸縮性外側カバー１１０に接合された吸収性コアアセンブリ１５０を含む、着用するために形成されたパンツ型着用可能吸収性物品１００Ａの斜視図を示す。様々な実施形態では、吸収性コアアセンブリ１５０は、図１Ｂ及び１Ｃの実施形態に関連して記載されるように、取り付け領域を使用して伸縮性外側カバー１１０に接合できる。着用可能吸収性物品１００Ａはまた、前側１０１と、前側腰縁部１０２と、後ろ側腰縁部１０４と、後ろ側１０５と、脚部開口縁部１０８と、脚部開口部１０９と、を含む。脚部開口縁部は、着用するために物品が形成されたときに、脚部開口部の一部又は全体を形成する、着用可能吸収性物品の部分である。様々な実施形態では、脚部開口縁部の一部、複数の部分、又は全体に弾性を備えて、収縮性の脚部開口部を形成してもよい。着用可能吸収性物品１００Ａでは、脚部開口縁部１０８は、着用可能吸収性物品１００Ａが砂時計に類似した全体形状を有するように、成形した切り抜きである。
【００１４】
本開示全体を通して、パンツ型着用可能吸収性物品の参照は、締結式の実施形態又は締結具を有さない実施形態を指すことができる。パンツ型着用可能吸収性物品の参照はまた、予め形成された（すなわち、物品の製造中に形成された）１つ以上の腰部開口部及び／又は脚部開口部を有する物品の実施形態、又は予め形成されたのではない腰部開口部及び脚部開口部を有する物品の実施形態を指すことができる。したがって、パンツ型として説明される本開示の吸収性物品の各実施形態は、当業者には理解されるように、これらの様式のいずれかで構成され得る。
【００１５】
図１Ｂは、本開示の実施形態による、伸縮性外側カバー１１０に接合された吸収性コアアセンブリ１５０を含む、平らな非収縮状態に広げられたパンツ型着用可能吸収性物品１００Ｂの内側の平面図を示す。
【００１６】
図１Ｂでは、長手方向中心線１１３及び横方向中心線１１６は、着用可能吸収性物品１００Ｂの相対位置を参照するための基準線を提供する。長手方向中心線１１３は物品の腰縁部間を結び、物品を左右の半分に分ける。横方向中心線１１６は長手方向中心線１１３に対して垂直であり、後ろ側１０５から前側１０１を分離する。第１位置が第２位置よりも長手方向中心線１１３に近接するとき、第１位置は、第２位置に対して横方向内側１１２にあると考えることができる。同様に、第２位置は、第１位置から横方向外側１１１にあるものと考えることができる。第３位置が第４位置よりも横方向中心線１１６に近接するとき、第３位置は、第４位置に対して長手方向内側１１５にあると考えることができる。また、第４位置は、第３位置から長手方向外側１１４にあるものと考えることができる。長手方向中心線１１３及び横方向中心線１１６は、着用可能吸収性物品１００Ｂの中心１１９で交差する。
【００１７】
図１Ｂは、それぞれ着用可能吸収性物品１００Ｂに関し、横方向外側１１１、横方向内側１１２、長手方向外側１１４、及び長手方向内側１１５の相対方向を示す矢印を含む。本開示全体を通して、長さ、つまり長手方向寸法、測定値、線、又は方向の参照は、長手方向中心線１１３に対して実質的に又は完全に平行である寸法、測定値、線、又は方向を指し、幅、つまり横方向寸法、測定値、線、又は方向の参照は、横方向中心線１１６に対して実質的に又は完全に平行である寸法、測定値、線、又は方向を指す。上述のように、相対位置を説明するための用語は、当業者には理解されるように、本開示全体を通して着用可能吸収性物品に関して使用される。
【００１８】
着用可能吸収性物品１００Ｂは、前側１０１と、前側腰縁部１０２と、後ろ側腰縁部１０４と、後ろ側１０５と、前側臀部１０６Ｆと、後ろ側臀部１０６Ｂと、股部１０７と、脚部開口縁部１０８とを含む。
【００１９】
臀部は、物品の股部から長手方向外側に、物品の腰縁部に隣接して配置される着用可能吸収性物品の部分である。前側臀部は、着用可能吸収性物品の前側に、前側腰縁部に隣接して配置される。後ろ側臀部は、着用可能吸収性物品の後ろ側に、後ろ側腰縁部に隣接して配置される。
【００２０】
臀部は、物品のピッチの特定の割合である、長手方向全長を有する。着用可能吸収性物品は、前側腰縁部の長手方向外側最遠点と後ろ側腰縁部の長手方向外側最遠点との間で長手方向に測定されるピッチを有する。臀部は、隣接する腰縁部の長手方向外側最遠点から隣接する腰縁部の長手方向内側地点まで長手方向に測定される、長手方向全長を有する。
【００２１】
様々な実施形態では、臀部は、物品の全ピッチの３５％、又は３０％、又は２５％、又は２０％、又は１５％、又は１０％（又はこれらのいずれかの割合の間の任意の整数値）である長手方向全長を有してよい。本開示は、本明細書に開示される取り付け領域の様々な実施形態が、上述のいずれかの割合から選択される長手方向全長を有する臀部で用いられ得ることを想到する。
【００２２】
着用可能吸収性物品が明確に画定された、切断成形による脚部開口縁部を含む様々な実施形態では、臀部は、あるいは、脚部開口縁部の長手方向外側最遠点から長手方向外側に配置されることができ、隣接する腰縁部の長手方向外側最遠点から脚部開口縁部の長手方向外側最遠点まで長手方向に測定される長手方向全長を有することができる。
【００２３】
着用可能吸収性物品１００Ｂは、脚部開口縁部１０８に沿って、後ろ側１０５に後ろ側長手方向外側最遠点１０８Ｂ−１を含む。したがって、後ろ側臀部１０６Ｂは、後ろ側長手方向外側最遠点１０８Ｂ−１から長手方向外側に配置されることができ、隣接する腰縁部１０４の長手方向外側最遠点から脚部開口縁部１０８の後ろ側長手方向外側最遠点１０８Ｂ−１まで長手方向に測定される長手方向全長を有することができる。着用可能吸収性物品１００Ｂはまた、脚部開口縁部１０８に沿って、前側１０１内に前側長手方向外側最遠点１０８Ｆ−１を含む。したがって、前側臀部１０６Ｆは、前側長手方向外側最遠点１０８Ｆ−１から長手方向外側に配置されることができ、隣接する腰縁部１０２の長手方向外側最遠点から脚部開口縁部１０８の前側長手方向外側最遠点１０８Ｆ−１まで長手方向に測定される長手方向全長を有することができる。
【００２４】
予め形成されたパンツ型物品が明確に画定された、切断成形による脚部開口縁部を含まない様々な実施形態では、図１Ｄ〜１Ｆの実施形態に関連して記載されるように、臀部は、あるいは側面接続部の長手方向内側最遠点から長手方向外側に配置されることができ、隣接する腰縁部の長手方向外側最遠点から側面接続部の長手方向内側最遠点まで長手方向に測定される長手方向全長を有することができる。
【００２５】
着用可能吸収性物品１００Ｂでは、伸縮性外側カバー１１０は、取り付け領域１９０上で吸収性コアアセンブリ１５０に接合されている。図１Ｂの外側カバー１１０、吸収性コアアセンブリ１５０、及び取り付け領域１９０は、図３Ａの実施形態に関連して記載されるようにそれぞれ構成されていてもよい。着用可能吸収性物品１００Ｂの様々な実施形態では、前側１０１若しくは後ろ側１０５、又は前側１０１及び後ろ側１０５は、図３Ａに記載されるように構成されていてもよい。
【００２６】
図１Ｃは、本開示の実施形態による、伸縮性外側カバー１１０に接合された吸収性コアアセンブリ１５０を含む、平らな非収縮状態に広げられたパンツ型着用可能吸収性物品１００Ｃの内側の平面図を示す。着用可能吸収性物品１００Ｃは、前側１０１と、前側腰縁部１０２と、後ろ側腰縁部１０４と、後ろ側１０５と、前側臀部１０６Ｆと、後ろ側臀部１０６Ｂと、股部１０７と、成形された脚部開口縁部１０８と、を含む。着用可能吸収性物品１００Ｃはまた、長手方向中心線１１３と横方向中心線１１６とを含み、これらは、横方向外側１１１、横方向内側１１２、長手方向外側１１４、及び長手方向内側１１５の方向、並びに中心１１９を画定する。図１Ｂの外側カバー１１０、吸収性コアアセンブリ１５０、及び取り付け領域１９０は、図４の実施形態に関連して記載されるようにそれぞれ構成されていてもよい。着用可能吸収性物品１００Ｃの様々な実施形態では、前側１０１若しくは後ろ側１０５、又は前側１０１及び後ろ側１０５は、図４に記載されるように構成されていてもよい。
【００２７】
図１Ｄは、本開示の実施形態による、平らな非収縮状態に広げられたパンツ型着用可能吸収性物品１００Ｄの内側の平面図を示す。着用可能吸収性物品１００Ｄでは、着用可能吸収性物品１００Ａが矩形の全体形状を有するように脚部開口縁部１０８が直線の長手方向縁部の一部である点を除き、着用可能吸収性物品１００Ｄは着用可能吸収性物品１００Ｂと同様に構成されている。
【００２８】
また、着用可能吸収性物品１００Ｄは、脚部開口縁部１０８に沿って後ろ側１０５に後ろ側長手方向外側最遠点１０８Ｂ−１を含み、後ろ側長手方向外側最遠点１０８Ｂ−１は、図１Ｆの実施形態に関連して記載されるように、側面接続部の長手方向内側最遠点と一致する。更に、着用可能吸収性物品１００Ｄは、脚部開口縁部１０８に沿って前側１０１に前側長手方向外側最遠点１０８Ｆ−１を含み、前側長手方向外側最遠点１０８Ｆ−１は、図１Ｆの実施形態に関連して記載されるように、側面接続部の長手方向内側最遠点と一致する。
【００２９】
図１Ｅは、本開示の実施形態による、平らな非収縮状態に広げられたパンツ型着用可能吸収性物品１００Ｅの内側の平面図を示す。着用可能吸収性物品１００Ｅでは、着用可能吸収性物品１００Ａが矩形の全体形状を有するように脚部開口縁部１０８が直線の長手方向縁部の一部である点を除き、着用可能吸収性物品１００Ｅは着用可能吸収性物品１００Ｃと同様に構成される。着用可能吸収性物品１００Ｅはまた、図１Ｄの実施形態に関連して記載されるように、脚部開口縁部１０８に沿って後ろ側１０５に後ろ側長手方向外側最遠点１０８Ｂ−１を、並びに脚部開口縁部１０８に沿って前側１０１に前側長手方向外側最遠点１０８Ｆ−１を含む。
【００３０】
図１Ｆは、着用するために形成された、パンツ型着用可能吸収性物品１００Ｆの斜視図を示す。様々な実施形態では、着用可能吸収性物品１００Ｆは、着用可能吸収性物品１００Ｄ又は１００Ｅと同様に構成されていてもよい。着用可能吸収性物品１００Ｆは、明確に画定された、切断成形による脚部開口縁部を含まない、予め形成されたパンツ型物品である。しかし、着用可能吸収性物品１００Ｆは、側面接続部１０６Ｓを含む。幾つかの実施形態では、側面接続部１０６Ｓは永続的である、又は再締結可能であってもよい。側面接続部１０６Ｃは、長手方向内側最遠点１０６Ｓ−１を有する。
【００３１】
図２Ａは、本開示の実施形態による、伸縮性外側カバー２１０に接合された吸収性コアアセンブリ２５０を含む、着用するために形成された前側締結可能な着用可能吸収性物品２００Ａの斜視図を示す。様々な実施形態では、吸収性コアアセンブリ２５０は、図２Ｂ及び２Ｃの実施形態に関連して記載されるように、取り付け領域を使用して伸縮性外側カバー２１０に接合できる。着用可能吸収性物品２００Ａはまた、前側２０１と、前側腰縁部２０２と、後ろ側腰縁部２０４と、後ろ側２０５と、脚部開口縁部２０８と、を含む。
【００３２】
本開示は前締結式着用可能吸収性物品を参照するが、本開示はまた、本明細書に記載されるように、取り付け領域を有する着用可能吸収性物品の代替実施形態も想到し、それらの着用可能吸収性物品は後締結式である。したがって、前側締結可能と記載される本開示の着用可能吸収性物品の各実施形態は、当業者に理解されるように、後側締結可能としても構成できる。本開示の実施形態はまた、着用者の定位置に物品を保持するための他のシステムを備える、様々な他の着用可能吸収性物品に適用されてよい。
【００３３】
図２Ｂは、本開示の実施形態による、伸縮性外側カバー２１０に接合された吸収性コアアセンブリ２５０を含む、平らな非収縮状態に広げられた前側締結可能な着用可能吸収性物品２００Ｂの内側の平面図を示す。着用可能吸収性物品２００Ｃは、前側２０１と、前側腰縁部２０２と、後ろ側腰縁部２０４と、後ろ側２０５と、前側臀部２０６Ｆと、後ろ側臀部２０６Ｂと、股部２０７と、脚部開口縁部２０８とを含む。
【００３４】
着用可能吸収性物品２００Ｂでは、脚部開口縁部２０８は、明確に画定され、切断成形されている。着用可能吸収性物品２００Ｂは、脚部開口縁部２０８に沿って後ろ側２０５に後ろ側長手方向外側最遠点２０８Ｂ−１を含む。したがって、後ろ側臀部２０６Ｂは、隣接する腰縁部２０４の長手方向外側最遠点から脚部開口縁部２０８の後ろ側長手方向外側最遠点２０８Ｂ−１まで長手方向に測定される長手方向全長を有することができる。着用可能吸収性物品２００Ｂはまた、脚部開口縁部２０８に沿って前側２０１に前側長手方向外側最遠点２０８Ｆ−１を含む。したがって、前側臀部２０６Ｆは、隣接する腰縁部２０２の長手方向外側最遠点から脚部開口縁部２０８の前側長手方向外側最遠点２０８Ｆ−１まで長手方向に測定される長手方向全長を有することができる。あるいは、臀部２０６Ｂ及び２０６Ｆのいずれか、又はその両方は、上述のように、物品のピッチの特定の割合である長手方向全長を有することができる。
【００３５】
着用可能吸収性物品２００Ｃはまた、長手方向中心線２１３と横方向中心線２１６とを含み、これらは、横方向外側２１１、横方向内側２１２、長手方向外側２１４、及び長手方向内側２１５の方向、並びに中心２１９を画定する。図２Ｂの外側カバー２１０、吸収性コアアセンブリ２５０、及び取り付け領域２９０は、図３Ａの実施形態に関連して記載されるようにそれぞれ構成されていてもよい。着用可能吸収性物品２００Ｂの様々な実施形態では、前側２０１若しくは後ろ側２０５、又は前側２０１及び後ろ側２０５は、図３Ａに記載されるように構成されていてもよい。
【００３６】
図２Ｃは、本開示の実施形態による、伸縮性外側カバー２１０に接合された吸収性コアアセンブリ２５０を含む、平らな非収縮状態に広げられた前側締結可能な着用可能吸収性物品２００Ｃの内側の平面図を示す。着用可能吸収性物品２００Ｃは、前側２０１と、前側腰縁部２０２と、後ろ側腰縁部２０４と、後ろ側２０５と、前側臀部２０６Ｆと、後ろ側臀部２０６Ｂと、股部２０７と、脚部開口縁部２０８と、を含む。着用可能吸収性物品２００Ｃはまた、長手方向中心線２１３と横方向中心線２１６とを含み、これらは、横方向外側２１１、横方向内側２１２、長手方向外側２１４、及び長手方向内側２１５の方向、並びに中心２１９を画定する。図２Ｃの外側カバー２１０、吸収性コアアセンブリ２５０、及び取り付け領域２９０は、図４の実施形態に関連して記載されるようにそれぞれ構成されていてもよい。着用可能吸収性物品２００Ｃの様々な実施形態では、前側２０１若しくは後ろ側２０５、又は前側２０１及び後ろ側２０５は、図４に記載されるように構成されていてもよい。
【００３７】
図２Ｄは、本開示の実施形態による、平らな非収縮状態に広げられた前側締結可能な着用可能吸収性物品２００Ｄの内側の平面図を示す。着用可能吸収性物品２００Ｄでは、着用可能吸収性物品２００Ａが実質的に矩形の全体形状を有するように脚部開口縁部２０８が直線の長手方向縁部の一部である点を除き、着用可能吸収性物品２００Ｄは着用可能吸収性物品２００Ｂと同様に構成されている。
【００３８】
図２Ｅは、本開示の実施形態による、平らな非収縮状態に広げられた前側締結可能な着用可能吸収性物品２００Ｅの内側の平面図を示す。着用可能吸収性物品２００Ｅでは、着用可能吸収性物品２００Ａが実質的に矩形の全体形状を有するように脚部開口縁部２０８が直線の長手方向縁部の一部である点を除き、着用可能吸収性物品２００Ｅは着用可能吸収性物品２００Ｃと同様に構成されている。
【００３９】
図３Ａは、本開示の実施形態による、第１取り付け領域３２０、第２取り付け領域３３０、及び第３取り付け領域３４０上で伸縮性外側カバー３１０に接合された吸収性コアアセンブリ３５０を含む、平らな非収縮状態に広げられた着用可能吸収性物品３００の一部の内側の平面図を示す。吸収性コアアセンブリ３５０は、取り付け領域３２０、３３０、及び３４０上にあり、これらはそれぞれ伸縮性外側カバー３１０上にある。
【００４０】
明確にするために、吸収性コアアセンブリ３５０は、目に見える外側縁部を有する透明部分として示され、取り付け領域３２０、３３０、及び３４０を見やすくする。着用可能吸収性物品３００は、パンツ型着用可能吸収性物品であっても、前側締結可能な着用可能吸収性物品であってもよい。着用可能吸収性物品３００の一部は、前側部分又は後ろ側部分であってもよい。図３Ａにおいて、この一部は着用可能吸収性物品３００の他の部分から切り離されて示されているので、この部分の外側縁部の一部は折れ線である。
【００４１】
着用可能吸収性物品３００は、腰縁部３０３と、臀部３０６と、股部３０７と、脚部開口縁部３０８と、を含む。着用可能吸収性物品３００はまた、横方向外側３１１及び横方向内側３１２の方向を画定する長手方向中心線３１３と、を含み、長手方向外側３１４及び長手方向内側３１５の方向、を含む。
【００４２】
伸縮性外側カバー３１０の少なくとも一部は、下記のように横方向に伸縮性がある。様々な実施形態では、伸縮性外側カバー３１０の一部、又は複数の部分、又は実質的に全体、又は全体は、横方向、長手方向、又は横方向と長手方向の両方において弾性がある、又は延伸性があるように構成されていてもよい。
【００４３】
本明細書で使用するとき、用語「伸縮性」は、（本明細書に記載されるように）ヒステリシス試験における０．１〜１０Ｎ／ｃｍの負荷で、相当な破裂又は破損を示さずに少なくとも５０％伸長する材料の特性を指す。ミクロサイズの破裂又は破損は、相当な破裂又は破損とは見なされない。しかし、構造を貫通するマクロサイズの破裂（例えば、任意の方向における約５ｍｍ超の裂け目、又は２つ以上の片への破断、又は材料をその用途に使用できない状態にする相当な構造的劣化をもたらすなどの１つ以上の大きな裂け目）は、相当な破裂又は破損と見なされる。この「伸縮性」の定義を満たさない材料は、「非伸縮性」と見なされる。伸縮性材料は、本明細書で定義されるように弾性であるか、延伸性があってもよい。
【００４４】
本明細書で使用するとき、用語「弾性」は、ヒステリシス試験における０．１〜１０Ｎ／ｃｍの負荷で、相当な破裂又は破損を示さずに少なくとも５０％伸長する材料の特性を指す。更に、ヒステリシス試験に従って測定した場合、弾性材は、負荷の除去時に２０％以下のひずみを有する。例えば、２５ミリメートルの初期長を有する弾性材は、少なくとも３７．５ミリメートルまで伸長でき（５０％の伸長）、負荷の除去時には、２７．５ミリメートルの長さまで縮む。すなわち、ヒステリシス試験によると、２．５ミリメートルのひずみ（１０％のひずみ）を有する。しかし、この弾性の定義が、ヒステリシス試験の適切な対象となるために適切な寸法（例えば、十分な幅）を有さない個別の弾性ストランドなどの材料には適用されないことは理解されるべきである。それよりもむしろ、かかる材料は、バイアス力の印加時には少なくとも５０％伸長でき、バイアス力の除去時には実質的に元の長さに戻る（すなわち、２０％未満のひずみを示す）場合、弾性的と見なされる。
【００４５】
本明細書で使用するとき、用語「延伸性がある」は、ヒステリシス試験における０．１〜１０Ｎ／ｃｍの負荷で、相当な破裂又は破損を示さずに少なくとも５０％伸長する材料の特性を指す。更に、ヒステリシス試験に従って測定した場合、延伸性材料は、負荷の除去時に２０％超のひずみを有する。例えば、２５ミリメートルの初期長を有する延伸性材料は、少なくとも３７．５ミリメートルまで伸長でき（５０％の伸長）、印加した負荷の除去時には、３５ミリメートルの長さまで縮む。すなわち、ヒステリシス試験によると、１０ミリメートルのひずみ（４０％のひずみ）を有する。
【００４６】
吸収性コアアセンブリは、木材パルプ及び／又は超吸収体粒子などの１つ以上の吸収性材料で作製されたコアを含み、当該技術分野において既知のように、体外排泄物を受容し、収容し、貯蔵し、及び／又は処理するための１つ以上の更なる組成物、材料、又は構造体を含んでもよい。例えば、吸収性コアは、液体透過性トップシート、獲得層、分配層、貯蔵層、及び液体不透過性バックシートのような１つ以上の層を備えてもよい。あるいは、バックシートは、液体の透過を阻止するように構成されていてもよい。バックシートは、通気性があるように構成されていても、構成されていなくてもよい。吸収性コアアセンブリはまた、バリアレグカフ、糞便格納区画、背骨状の構造体（例えば、公開米国特許出願第２００７−０２８７９８３Ａ１号、Ａｂｓｏｒｂｅｎｔ  Ａｒｔｉｃｌｅ  Ｈａｖｉｎｇ  ａｎ  Ａｎｃｈｏｒｅｄ  Ｃｏｒｅ  Ａｓｓｅｍｂｌｙ」に記載の主要な支持構造体）、及び湿り度インジケータなど１つ以上の様々な構造体を含んでもよい。更に、吸収性コアアセンブリは、アセンブリの外側表面上及び／又はアセンブリ内部に、ローション、香料、及び知覚性材料のような１つ以上の組成物を含むことができる。
【００４７】
吸収性コアアセンブリ３５０は、長手方向側面３５１と、第１縁部３５３と、第２縁部（図示せず）とを含む。吸収性コアアセンブリは、長手方向側面の１つにあるコアアセンブリの横方向外側最遠点と、もう１つの長手方向側面にあるコアアセンブリの横方向外側最遠点との間で横方向に測定される横方向全幅を有する。吸収性コアアセンブリは、縁部の１つにあるコアアセンブリの長手方向外側最遠点と、もう１つの縁部にある長手方向外側最遠点との間で長手方向に測定される長手方向全長を有する。吸収性コアアセンブリ３５０は、長手方向全長の全体に沿って実質的に均一の長手方向幅３５８を有する。しかし、様々な実施形態では、吸収性コアアセンブリは、長手方向全長の一部、又は複数の部分、又は全体で様々な長手方向幅を有してもよい。吸収性コアアセンブリ３５０は、着用可能吸収性物品３００の長手方向全長に等しい長手方向全長を有する。結果として、第１縁部３５３は、腰縁部３０３と一致する。しかし、幾つかの実施形態では、吸収性コアアセンブリは、物品の長手方向全長よりも短い長手方向全長を有してもよい。結果として、吸収性コアアセンブリのいずれかの縁部又は両方の縁部は、物品の一方の腰縁部又は両方の腰縁部に対して長手方向内側に配置されていてもよい。
【００４８】
吸収性コアアセンブリ３５０は、第１取り付け領域３２０、第２取り付け領域３３０、及び第３取り付け領域３４０上で伸縮性外側カバー３１０に接合されている。本明細書で使用するとき、用語「接合される」は、要素が別の要素に直接に固定される構成、及び要素が１つ以上の中間部材に接続され、その中間部材が別の要素に接続されることによって要素が別の要素に間接的に固定される構成を指す。接合された構成では、要素は、図５Ａ〜１０Ｂの接続など任意の種類の接続によって別の要素に固定されてもよい。また、本明細書で使用するとき、用語「取り付け領域」は、画定された外側境界を有する二次元の場所を指し、これに渡って吸収性コアアセンブリが着用可能吸収性物品の外側カバーに有効に接合されている。第１取り付け領域３２０、第２取り付け領域３３０、及び第３取り付け領域３４０のいずれか又は全ては、図５Ａ〜１０Ｂの実施形態に関連して記載されるように構成されていてもよい。幾つかの実施形態では、１つ以上の取り付け領域は、公開米国特許出願第２００７−０２８７９８３Ａ１号「Ａｂｓｏｒｂｅｎｔ  Ａｒｔｉｃｌｅ  Ｈａｖｉｎｇ  ａｎ  Ａｎｃｈｏｒｅｄ  Ｃｏｒｅ  Ａｓｓｅｍｂｌｙ」に記載される固定バンド又は固定システムを形成するために用いられてよい。
【００４９】
第１取り付け領域３２０は、着用可能吸収性物品３００の臀部３０６に、第２取り付け領域３３０から長手方向外側に配置されている。しかし、幾つかの実施形態では、第１取り付け領域は、第２取り付け領域から部分的にだけ長手方向外側でにあってもよい。例えば、第２取り付け領域が長手方向外側最遠点を含む実施形態では、図３Ｃの実施形態に関連して記載されるように、第１取り付け領域の一部がこの最遠点に対して長手方向内側にある一方で、第１取り付け領域の一部がこの最遠点から長手方向外側にあってもよい。様々な実施形態では、取り付け領域が着用可能吸収性物品内の横方向中心に置かれない場合があるが、第１取り付け領域３２０は長手方向中心線３１３に重なり合い、着用可能吸収性物品３００内の横方向中心に置かれる。第１取り付け領域３２０は、着用可能吸収性物品３００の臀部３０６内に、第２取り付け領域３３０から長手方向外側に配置されている。第１取り付け領域３２０は、第２取り付け領域３３０に隣接する。あるいは、第１取り付け領域は、図４の実施形態に関連して記載されるように、第２取り付け領域から離隔されていてもよい。
【００５０】
本開示全体を通じて、各取り付け領域は、本明細書に記載されるように、取り付け領域の最大幅で横方向に測定される横方向全幅を有する。取り付け領域が物品の長手方向中心線に重なり合う場合、取り付け領域は、長手方向中心線の片側の領域の横方向外側最遠点と長手方向中心線のもう一方の側の領域の横方向外側最遠点との間で横方向に測定される横方向全幅を有する。取り付け領域が物品の長手方向中心線に重なり合わない場合、取り付け領域は、領域の横方向内側最遠点と領域の横方向外側最遠点との間で横方向に測定される横方向全幅を有する。本開示全体を通じて、第２取り付け領域では、横方向全幅は、臀部内の直前に記載した最遠点を使用し、臀部の外側の幅測定値をすべて無視して、物品の臀部内に配置された第２取り付け領域部分の最大幅で横方向に測定される。
【００５１】
本開示全体を通じて、各取り付け領域は、取り付け領域の最大長に沿って長手方向に測定される、長手方向全長を有する。取り付け領域が物品の横方向中心線に重なり合う場合、取り付け領域は、横方向中心線の片側の領域の長手方向外側最遠点と横方向中心線のもう一方の側の領域の長手方向外側最遠点との間で長手方向に測定される長手方向全長を有する。取り付け領域が物品の横方向中心線に重なり合わない場合、取り付け領域は、領域の長手方向内側最遠点と領域の長手方向外側最遠点との間で長手方向に測定される長手方向全長を有する。
【００５２】
第１取り付け領域３２０は、長手方向側面３２１と、長手方向内側縁部３２２と、長手方向外側縁部３２３と、を含む。第１取り付け領域３２０は、実質的に均一の長手方向全長３２４と、実質的に均一の横方向全幅３２８と、を有する。幾つかの実施形態では、取り付け領域は、その長手方向全長にわたって様々な横方向幅を有してもよい。また、様々な実施形態では、取り付け領域はその横方向全幅にわたって様々な長手方向長さを有してもよい。
【００５３】
第１取り付け領域３２０の外側縁部は、第１取り付け領域３２０の長手方向側面３２１が吸収性コアアセンブリ３５０の長手方向側面３５１の部分と一致し、第１取り付け領域３２０の長手方向外側縁部３２３が吸収性コアアセンブリ３５０の第１縁部３５３と一致するように、吸収性コアアセンブリ３５０の外側縁部まで延在する。様々な実施形態では、第１取り付け領域の外側縁部の１つ以上は、吸収性コアアセンブリの外側縁部と部分的にだけ一致してもよい。あるいは、第１取り付け領域の１つ以上の外側縁部は、図４の実施形態に関連して記載されるように、吸収性コアアセンブリの外側縁部までは延在しなくてもよい。第１取り付け領域３２０の長手方向内側縁部３２２の一部は、第２取り付け領域３３０の長手方向外側縁部３３３と一致する。
【００５４】
着用可能吸収性物品で吸収性コアアセンブリを伸縮性外側カバーに接合するための第１取り付け領域の横方向全幅及び長手方向全長の特定の寸法は、次のように選択されてもよい。広くは、第１取り付け領域は、外側カバーの内側の定位置に吸収性コアアセンブリを十分に保持し、吸収性コアアセンブリが自身の内側に折り畳まれないようにし、吸収性コアアセンブリ内に配置された引張弾性材に対する十分な構造的抵抗をもたらすために十分に大きい必要がある。同時に、第１取り付け領域は、外側カバーが伸張できる程度を過度に制約するほどには大きくない必要がある。同様に、第１取り付け領域が伸縮性ウエストバンド構造体の上に配置される場合、第１取り付け領域は、ウエストバンドが伸張できる程度を過度に制約するほどには大きくない必要がある。これらの設計原則の使用は、外側カバー及び／又はウエストバンドにおける伸張性の程度によって導かれる。外側カバー及び／又はウエストバンドの伸縮性がより高い場合、より大きい取り付け領域が可能であるが、外側カバー及び／又はウエストバンドの伸縮性がより低い場合、より小さい取り付け領域が必要になる。
【００５５】
様々な実施形態では、第１取り付け領域の長手方向全長は、１〜６０ミリメートルの任意の長さ、５〜４０ミリメートルの任意の長さ、若しくは１０〜２０ミリメートルの任意の長さ、又はこれらのいずれかの範囲内の長さ（ミリメートル）の任意の整数値であってもよい。あるいは、幾つかの実施形態では、第１取り付け領域の長手方向全長は、着用可能吸収性物品の長手方向全長の１％〜１５％の任意の割合、着用可能吸収性物品の長手方向全長の１％〜１０％の任意の割合、若しくは着用可能吸収性物品の長手方向全長の１％〜５％の任意の割合、又はこれらのいずれかの範囲内の割合の任意の整数値であってもよい。第１取り付け領域の横方向全幅については、図４の実施形態に関連して更に記載する。
【００５６】
伸縮性外側カバー３１０は、第１取り付け領域３２０の下にある領域を含む。第１取り付け領域３２０の下にある伸縮性外側カバー３１０の領域は、伸縮性材料で形成されていても、形成されていなくてもよい。
【００５７】
伸縮性外側カバー３１０はまた、２つの領域３６２を含み、それぞれ第１取り付け領域３２０からすぐ横方向外側に配置されている。本明細書で使用するとき、用語「すぐ横方向外側」は、参照される領域から横方向外側、並びに参照される領域と同じ長手方向位置又は長手方向位置内である、着用可能吸収性物品における相対的な配置を指す。２つの領域３６２は、第１取り付け領域３２０と同じ長手方向位置にある。第１取り付け領域３２０の長手方向位置は、長手方向内側縁部３２２及び長手方向外側縁部３２３によって画定されている。結果として、領域３６２の長手方向位置はまた、第１取り付け領域３２０の長手方向内側縁部３２２及び長手方向外側縁部３２３によって画定されている。図３Ａでは、第１取り付け領域３２０の長手方向内側縁部３２２で長手方向内側最遠点から引かれた横方向基準線は、領域３６２の長手方向内側境界を示す。様々な実施形態では、取り付け領域からすぐ横方向外側の領域は、取り付け領域に隣接していても、取り付け領域から離隔されていてもよい。
【００５８】
図３Ａの実施形態では、領域３６２のそれぞれは、横方向に伸縮性がある。しかし、幾つかの実施形態では、第１取り付け領域からすぐ横方向外側の領域の１つだけが、横方向に伸縮性があってもよい。領域３６２のいずれか又は両方は、横方向に弾性があるか、又は横方向に延伸性があるか、又は横方向に弾性があると横方向に延伸性があるとの組み合わせであってもよい。領域３６２のいずれか又は両方は、長手方向に伸縮性があってもよいか、又は長手方向に伸縮性がなくてもよい。代替の実施形態では、領域３６２のいずれか又は両方は、実質的に又は完全に伸縮性がなくてもよい。
【００５９】
図３Ａの実施形態では、物品の長手方向外側部分に配置される、第１取り付け領域３２０の比較的幅広の横方向全幅３２８は、吸収性コアアセンブリ３５０の第１縁部３５３に対する十分な構造的支持をもたらすことができるが、これは特に有用である。したがって、着用可能吸収性物品３００では、吸収性コアアセンブリ３５０は、漏れにくいけれども、物品３００の見栄えがよくて快適に感じることができるように、伸縮性外側カバー３１０に好適に接合できる。
【００６０】
第２取り付け領域３３０全体は、着用可能吸収性物品３００の臀部３０６に配置されている。しかし、様々な実施形態では、図３Ｃの実施形態に関連して記載されるように、第２取り付け領域は、着用可能吸収性物品の臀部内に部分的にだけ配置されていてもよい。様々な実施形態では、取り付け領域が着用可能吸収性物品内の横方向中心に置かれない場合があるが、第２取り付け領域３３０は長手方向中心線３１３に重なり合い、着用可能吸収性物品３００内の横方向中心に置かれる。第２取り付け領域３３０全体はまた、第１取り付け領域３２０に対して長手方向内側かつ第３取り付け領域３４０から長手方向外側に配置されている。しかし、幾つかの実施形態では、第２取り付け領域は、第１取り付け領域に対して部分的にだけ長手方向内側にあってもよい。例えば、第１取り付け領域が長手方向内側最近点を含む実施形態では、図３Ｃの実施形態に関連して記載されるように、第２取り付け領域の一部がこの最近点から長手方向外側にある一方で、第２取り付け領域の一部がこの最近点に対して長手方向内側にあってもよい。また、幾つかの実施形態では、第２取り付け領域は、第３取り付け領域から部分的にだけ長手方向外側でにあってもよい。一例としては、第３取り付け領域が長手方向外側最遠点を含む実施形態では、図３Ｃの実施形態に関連して記載されるように、第２取り付け領域の一部がこの最遠点に対して長手方向内側にある一方で、第２取り付け領域の一部がこの最遠点から長手方向外側にあってもよい。第２取り付け領域３３０は、第１取り付け領域３２０に隣接し、かつ第３取り付け領域３４０に隣接している。あるいは、第２取り付け領域は、図４の実施形態に関連して記載されるように、第１取り付け領域及び／又は第３取り付け領域から離隔されていてもよい。
【００６１】
代替の実施形態では、着用可能吸収性物品は、第３取り付け領域なしで構成されていてもよい。この代替の実施形態の変化形では、第２取り付け領域は長手方向内側に延在していてもよい。例えば、第２取り付け領域は着用可能吸収性物品の中心まで、又は中心を通って延在していてもよい。更なる例として、第２取り付け領域は、物品の中心を通って、第１取り付け領域から着用可能吸収性物品のもう一方の半分にある別の第１取り付け領域まで延在していてもよい。
【００６２】
第２取り付け領域３３０は、長手方向側面３３１と、長手方向内側縁部３３２と、長手方向外側縁部３３３と、を含む。第２取り付け領域３３０は、実質的に均一の長手方向全長３３４と、実質的に均一の横方向全幅３３８とを有する。しかし、幾つかの実施形態では、取り付け領域は、様々な幅及び長さを有してもよい。
【００６３】
第２取り付け領域３３０は、第１取り付け領域３２０よりも幅狭である。結果として、第２取り付け領域３３０の横方向全幅３３８は、第１取り付け領域３２０の横方向全幅３２８よりも小さい。しかし、幾つかの実施形態では、第２取り付け領域３３０の一部だけが、第１取り付け領域３２０の横方向全幅３２８よりも小さい横方向全幅を有してもよい。例えば、第２取り付け領域が着用可能吸収性物品の臀部内に部分的にだけ配置される実施形態では、第２取り付け領域は、第１臀部に配置されている第２取り付け領域の一部だけが第１取り付け領域の横方向全幅よりも小さい横方向全幅を有するように構成されていてもよい。この例では、臀部の外側にある第２取り付け領域の一部は、第１取り付け領域の横方向全幅よりも小さい横方向全幅を有しても、有さなくてもよい。
【００６４】
第２取り付け領域３３０の長手方向側面３３１は、第１取り付け領域３２０の長手方向側面３２１に対して横方向内側、かつ吸収性コアアセンブリ３５０の長手方向側面３５１に対して横方向内側に配置される。
【００６５】
第２取り付け領域３３０の長手方向内側縁部３３２の一部は、第３取り付け領域３４０の長手方向外側縁部３４３と一致する。様々な実施形態では、第２取り付け領域の長手方向内側縁部は、部分的にだけ第３取り付け領域の長手方向外側縁部と一致してもよい。例えば、第２取り付け領域の長手方向内側縁部及び第３取り付け領域の長手方向外側縁部は、縁部の１つ又は両方の幅よりも短い共有境界を有してもよい。第２取り付け領域３３０の長手方向外側縁部３３３は、第１取り付け領域３２０の長手方向内側縁部３３２の一部と一致する。幾つかの実施形態では、第２取り付け領域の長手方向外側縁部は、部分的にだけ第１取り付け領域の長手方向内側縁部の一部と一致してもよい。
【００６６】
着用可能吸収性物品で吸収性コアアセンブリを伸縮性外側カバーに接合するための第２取り付け領域の横方向全幅及び長手方向全長の特定の寸法は、次のように選択されてもよい。広くは、第２取り付け領域は、外側カバーの内側の定位置に吸収性コアアセンブリを十分に保持し、吸収性コアアセンブリが自身の内側に折り畳まれないようにするために十分に大きい必要がある。同時に、第１取り付け領域は、外側カバーが伸張できる程度を過度に制約するほどには大きくない必要がある。これらの設計原則の使用は、上述されるように外側カバーにおける伸張性の程度によって導かれる。
【００６７】
第２取り付け領域の横方向全幅は、絶対寸法の観点から、及び相対寸法の観点から理解できる。様々な実施形態では、第２取り付け領域の横方向全幅は、５〜１１０ミリメートルの任意の幅、５〜６０ミリメートルの任意の幅、若しくは５〜２５ミリメートルの任意の幅、又はこれらのいずれかの範囲内の幅（ミリメートル）の任意の整数値であってもよい。あるいは、幾つかの実施形態では、第２取り付け領域の横方向全幅は、吸収性コアアセンブリの横方向全幅の３％〜９５％の任意の割合、又は吸収性コアアセンブリの横方向全幅の３％〜９０％の任意の割合、若しくは吸収性コアアセンブリの横方向全幅の３％〜５０％の任意の割合、又はこれらのいずれかの範囲内の割合の任意の整数値であってもよい。第２取り付け領域の長手方向全長は、任意の長さであってもよい。
【００６８】
伸縮性外側カバー３１０は、第２取り付け領域３３０の下にある領域を含む。第２取り付け領域３３０の下にある伸縮性外側カバー３１０の領域は、伸縮性材料で形成されていても、形成されていなくてもよい。
【００６９】
伸縮性外側カバー３１０はまた、２つの領域３６３を含み、それぞれは第２取り付け領域３３０からすぐ横方向外側に配置されている。２つの領域３６３は、第２取り付け領域３３０と同じ長手方向位置にある。第２取り付け領域３３０の長手方向位置は、長手方向内側縁部３３２及び長手方向外側縁部３３３によって画定されている。結果として、領域３６３の長手方向位置はまた、第２取り付け領域３３０の長手方向内側縁部３３２及び長手方向外側縁部３３３によって画定されている。図３Ａでは、第２取り付け領域３３０の長手方向内側縁部３３２上の長手方向内側最遠点から引かれた横方向基準線は、領域３６３の長手方向内側境界を示し、第２取り付け領域３３０の長手方向外側縁部３３３上の長手方向外側最遠点から引かれた横方向基準線は、領域３６３の長手方向外側境界を示す。
【００７０】
図３Ａの実施形態では、領域３６３のそれぞれは、横方向に伸縮性がある。しかし、幾つかの実施形態では、第２取り付け領域からすぐ横方向外側の領域の１つだけが、横方向に伸縮性があってもよい。領域３６３のいずれか又は両方は、横方向に弾性があるか、又は横方向に延伸性があるか、又は横方向に弾性があると横方向に延伸性があるとの組み合わせであってもよい。領域３６３のいずれか又は両方は、長手方向に伸縮性があってもよいか、又は長手方向に伸縮性がなくてもよい。
【００７１】
図３Ａの実施形態では、着用可能吸収性物品３００の臀部３０６に配置される、第２取り付け領域３３０の比較的幅狭の横方向全幅３３８により、着用者の身体の長い周囲（例えば、臀部全体）における相当程度の伸張性が実現するが、これは特に有益である。したがって、着用可能吸収性物品３００では、吸収性コアアセンブリ３５０は、漏れにくいけれども、物品３００の見栄えがよくて快適に感じることができるように、伸縮性外側カバー３１０に好適に接合できる。
【００７２】
第３取り付け領域３４０の実質的に全体は、着用可能吸収性物品３００の股部３０７に配置されている。しかし、様々な実施形態では、第３取り付け領域の全体は、着用可能吸収性物品の股部内に配置されていてもよい。様々な実施形態では、取り付け領域が着用可能吸収性物品内の横方向中心に置かれない場合があるが、第３取り付け領域３４０は長手方向中心線３１３に重なり合い、着用可能吸収性物品３００内の横方向中心に置かれる。第３取り付け領域３４０の全体は、第２取り付け領域３３０に対して長手方向内側に配置されている。しかし、幾つかの実施形態では、第３取り付け領域は、第２取り付け領域に対して部分的にだけ長手方向内側でにあってもよい。例えば、第２取り付け領域が長手方向内側最近点を含む実施形態では、図３Ｃの実施形態に関連して記載されるように、第３取り付け領域の一部がこの最近点から長手方向外側にある一方で、第３取り付け領域の一部がこの最近点に対して長手方向内側にあってもよい。第３取り付け領域３４０は、第２取り付け領域３３０に隣接している。あるいは、第３取り付け領域は、図４の実施形態に関連して記載されるように、第２取り付け領域から離隔されていてもよい。
【００７３】
第３取り付け領域３４０は、長手方向側面３４１と、第１縁部３４３と、第２縁部（図示せず）と、を含む。第３取り付け領域は、着用可能吸収性物品の中心まで、又は中心を通って延在していてもよい。幾つかの実施形態では、第３取り付け領域は、着用可能吸収性物品の中心を通って、物品のもう一方の半分にある別の第２取り付け領域まで延在していてもよい。
【００７４】
第３取り付け領域３４０は、実質的に均一の横方向全幅３４８を有してもよい。しかし、幾つかの実施形態では、取り付け領域は、様々な幅を有してもよい。第３取り付け領域の横方向全幅は、第２取り付け領域の横方向全幅とは異なる。図３Ａの実施形態では、第３取り付け領域３４０の横方向全幅３４８は、第２取り付け領域３３０の横方向全幅３３８よりも小さい。第３取り付け領域３４０の長手方向側面３４１は、第２取り付け領域３３０の長手方向側面３３１に対して横方向内側、かつ吸収性コアアセンブリ３５０の長手方向側面３５１に対して横方向内側に配置されている。しかし、代替の実施形態では、第３取り付け領域の横方向全幅は、第２取り付け領域の横方向全幅以上であってもよい。更に、追加の代替の実施形態では、第３取り付け領域の横方向全幅は、第１取り付け領域の横方向全幅未満であるか、第１取り付け領域の横方向全幅に等しいか、又は第１取り付け領域の横方向全幅超であってもよい。
【００７５】
第３取り付け領域３４０の第１縁部３４３は、第２取り付け領域３３０の長手方向内側縁部３３２の一部と一致する。様々な実施形態では、第３取り付け領域の縁部は、部分的にだけ第２取り付け領域の長手方向内側縁部と一致してもよい。
【００７６】
着用可能吸収性物品で吸収性コアアセンブリを伸縮性外側カバーに接合するための第３取り付け領域の横方向全幅及び長手方向全長の特定の寸法は、次のように選択されてもよい。広くは、第３取り付け領域は、外側カバーの内側の定位置に吸収性コアアセンブリを十分に保持するために十分に大きい必要があり、吸収性コアアセンブリ及び／又は物品の長手方向側面に沿った収縮部分におけるレッグカフの収縮を妨げないように十分に小さい必要がある。様々な実施形態では、第３取り付け領域は、着用可能吸収性物品の吸収性コアアセンブリの横方向全幅の３％以上、又は５％以上、又は１０％以上（又はこれらのいずれかの割合の間の任意の整数値）である横方向全幅を有してもよい。幾つかの実施形態では、第３取り付け領域は、着用可能吸収性物品の吸収性コアアセンブリの横方向全幅の１００％以下、又は９０％以下、又は７０％以下（又はこれらのいずれかの割合の間の任意の整数値）である横方向全幅を有してもよい。
【００７７】
伸縮性外側カバー３１０は、第３取り付け領域３４０の下にある領域を含む。第３取り付け領域３４０の下にある伸縮性外側カバー３１０の領域は、伸縮性材料で形成されていても、形成されていなくてもよい。
【００７８】
伸縮性外側カバー３１０はまた、２つの領域３６４を含み、それぞれは第３取り付け領域３４０からすぐ横方向外側に配置されている。２つの領域３６４は、第３取り付け領域３４０と同じ長手方向位置にある。第３取り付け領域３４０の長手方向位置は、第１縁部３４３及び第２縁部（図示せず）によって画定されている。結果として、領域３６４の長手方向位置はまた、第２取り付け領域３４０の第１縁部３４３及び第２縁部によって画定されている。図３Ａでは、第３取り付け領域３４０の第１縁部３４３で長手方向外側最遠点から引かれた横方向基準線は、領域３６３の境界の１つを示す。領域３６３の対向する境界は、図３Ａに図示されていない。
【００７９】
図３Ａの実施形態では、領域３６４のそれぞれは、横方向に伸縮性がある。しかし、幾つかの実施形態では、第２取り付け領域からすぐ横方向外側の領域の１つだけが、横方向に伸縮性があってもよい。領域３６４のいずれか又は両方は、横方向に弾性があるか、又は横方向に延伸性があるか、又は横方向に弾性があると横方向に延伸性があるとの組み合わせであってもよい。領域３６４のいずれか又は両方は、長手方向に伸縮性があってもよいか、又は長手方向に伸縮性がなくてもよい。
【００８０】
図３Ａの実施形態では、着用可能吸収性物品３００の第３取り付け領域３４０は、股部３０７内において、伸縮性外側カバー３１０の内側の定位置に吸収性コアアセンブリ３５０を十分に保持できてもよい。したがって、着用可能吸収性物品３００では、吸収性コアアセンブリ３５０は、漏れにくいけれども、物品３００の見栄えがよくて快適に感じることができるように、伸縮性外側カバー３１０に好適に接合できる。
【００８１】
図３Ｂは、図３Ａの実施形態の着用可能吸収性物品３００の一部の断面側面図を示す。着用可能吸収性物品３００は、第１取り付け領域３２０、第２取り付け領域３３０、及び第３取り付け領域３４０上で伸縮性外側カバー３１０に接合される吸収性コアアセンブリ３５０を含む。図３Ｂはまた、脚部開口縁部３０８及び長手方向中心線３１３の正射影を示す。図３Ｂの実施形態では、吸収性コアアセンブリ３５０は、吸収性コアアセンブリ３５０の上面を形成する液体透過層３５４と、吸収性コアアセンブリ３５０の背面を形成する液体不透過層３５６と、液体透過層３５４と液体不透過層３５６との間に配置される吸収性材料３５５と、を含む。
【００８２】
図３Ｂの実施形態では、取り付け領域３２０、３３０、及び３４０のそれぞれは、吸収性コアアセンブリ３５０を伸縮性外側カバー３１０に直接的に接続するが、直接接続は必要ない。代替の実施形態では、取り付け領域３２０、３３０、及び３４０の１つ以上は、吸収性コアアセンブリ３５０を伸縮性外側カバー３１０に間接的に接続する。取り付け領域３２０、３３０、及び３４０のそれぞれは、同じ均一の全厚を有するが、様々な実施形態では、取り付け領域内及び／又はある取り付け領域と別の取り付け領域において厚さが異なってもよい。第１取り付け領域３２０、第２取り付け領域３３０、及び第３取り付け領域３４０のいずれか又は全ては、図５Ａ〜１０Ｂの実施形態に関連して記載されるように構成されていてもよい。
【００８３】
図３Ｃは、平らな非収縮状態に広げられた着用可能吸収性物品３００Ｃの一部の内側の平面図を示す。図３Ｃの実施形態の要素のそれぞれは、下記のことを除き、図３Ａの実施形態の同様の番号の要素と同じ方法で構成されている。本開示全体を通じて、「同様の番号」は、要素のラベルの番号の下２桁が同じである、要素のラベル間の対応する要素を示すことが意図されている。要素ラベルは、図番号に対応する接頭番号が異なっていても、また、特定の実施形態に対応する末尾番号が異なっていても、同様の番号のものであるとみなされる。着用可能吸収性物品３００Ｃは、第１取り付け領域３２０Ｃ、第２取り付け領域３３０Ｃ、及び第３取り付け領域３４０Ｃ上で伸縮性外側カバー３１０に接合される吸収性コアアセンブリ３５０を含む。
【００８４】
第１取り付け領域３２０Ｃは、長手方向内側最遠点３２２Ｃ−１を備える長手方向内側縁部３２２Ｃを含む。第１取り付け領域３２０Ｃは、その横方向全幅にわたって様々な長手方向長さを有する。第１取り付け領域３２０Ｃの長手方向内側縁部３２２Ｃの一部は、第２取り付け領域３３０Ｃの長手方向外側縁部３３３Ｃと一致する。長手方向外側縁部３３３Ｃは、長手方向外側最遠点３３３Ｃ−１を含む。長手方向内側最遠点３３２Ｃ−１は長手方向外側最遠点３３３Ｃ−１に対して長手方向内側にあるため、第１取り付け領域３２０Ｃは、第２取り付け領域３３０Ｃから部分的にだけ長手方向外側にある。結果として、領域３６２Ｃ及び３６３Ｃは部分的に重なり合う。
【００８５】
第２取り付け領域３３０Ｃの実質的に全体は、着用可能吸収性物品３００Ｃの臀部３０６に配置されている。第２取り付け領域３３０Ｃは、長手方向内側最遠点３３２Ｃ−１を備える長手方向内側縁部３３２Ｃを含む。第２取り付け領域３３０Ｃは、その横方向全幅にわたって様々な長手方向長さを有する。第２取り付け領域３３０Ｃの長手方向内側縁部３３２Ｃの一部は、第３取り付け領域３４０Ｃの第１縁部３４３Ｃと一致する。第１縁部３４３Ｃは、長手方向外側最遠点３４３Ｃ−１を含む。長手方向内側最遠点３３２Ｃ−１は長手方向外側最遠点３４３Ｃ−１に対して長手方向内側にあるため、第２取り付け領域３３０Ｃは、第３取り付け領域３４０Ｃから部分的にだけ長手方向外側にある。結果として、領域３６３Ｃ及び３６４Ｃは部分的に重なり合う。
【００８６】
図４は、本開示の実施形態による、第１取り付け領域４２０、第２取り付け領域４３０、及び第３取り付け領域４４０上で伸縮性外側カバー４１０に接合された吸収性コアアセンブリ４５０を含む、平らな非収縮状態に広げられた着用可能吸収性物品４００の別の部分の内側の平面図を示す。吸収性コアアセンブリ４５０は、取り付け領域４２０、４３０、及び４４０上にあり、これらはそれぞれ伸縮性外側カバー３１０上にある。
【００８７】
明確にするために、吸収性コアアセンブリ４５０は、目に見える外側縁部を有する透明部分として示され、取り付け領域４２０、４３０、及び４４０を見やすくする。着用可能吸収性物品４００は、パンツ型着用可能吸収性物品であっても、前側締結可能な着用可能吸収性物品であってもよい。着用可能吸収性物品４００の一部は、前側部分又は後ろ側部分であってもよい。図４おいて、この一部は着用可能吸収性物品４００の他の部分から切り離されて示されているので、この部分の外側縁部の一部は折れ線である。
【００８８】
着用可能吸収性物品４００は、腰縁部４０３と、臀部４０６と、股部４０７と、脚部開口縁部４０８と、を含む。着用可能吸収性物品４００はまた、横方向外側４１１及び横方向内側４１２の方向を画定する長手方向中心線４１３を含み、長手方向外側４１４及び長手方向内側４１５の方向も含む。
【００８９】
伸縮性外側カバー４１０の少なくとも一部は、下記のように横方向に伸縮性がある。様々な実施形態では、伸縮性外側カバー４１０の一部、又は複数の部分、又は実質的に全体、又は全体は、横方向、長手方向、又は横方向と長手方向の両方において弾性がある、又は延伸性があるように構成されていてもよい。
【００９０】
吸収性コアアセンブリ４５０は、長手方向側面４５１、第１縁部４５３、及び第２縁部（図示せず）を含む。吸収性コアアセンブリ４５０は、長手方向全長の全体に沿って実質的に均一の幅４５８を有する。吸収性コアアセンブリ４５０は、物品４００の長手方向全長よりも短い長手方向全長を有する。結果として、第１縁部４５３は、腰縁部４０３に対して長手方向内側に配置される。しかし、幾つかの実施形態では、吸収性コアアセンブリは、物品の長手方向全長と等しい長手方向全長を有してもよい。結果として、吸収性コアアセンブリのいずれかの縁部又は両方の縁部は、物品の一方又は両方の腰縁部と一致してもよい。
【００９１】
吸収性コアアセンブリ４５０は、第１取り付け領域４２０、第２取り付け領域４３０、及び第３取り付け領域４４０上で伸縮性外側カバー４１０に接合されている。第１取り付け領域４２０、第２取り付け領域４３０、及び第３取り付け領域４４０のいずれか又は全ては、図５Ａ〜１０Ｂの実施形態に関連して記載されるように構成されていてもよい。
【００９２】
第１取り付け領域４２０は、着用可能吸収性物品４００の臀部４０６に、第２取り付け領域４３０から長手方向外側に配置されている。第１取り付け領域４２０は長手方向中心線４１３に重なり合い、着用可能吸収性物品４００内の横方向中心に置かれる。第１取り付け領域４２０は、第２取り付け領域４３０から離隔されている。あるいは、第１取り付け領域は、図３Ａの実施形態に関連して記載されるように、第２取り付け領域に隣接してもよい。
【００９３】
第１取り付け領域４２０は、長手方向側面４２１と、長手方向内側縁部４２２と、長手方向外側縁部４２３と、を含む。第１取り付け領域４２０は、実質的に均一の長手方向全長４２４と、実質的に均一の横方向全幅４２８と、を有する。
【００９４】
第１取り付け領域４２０の長手方向側面４２１は、吸収性コアアセンブリ４５０の長手方向側面４５１に対して横方向内側に配置されている。結果として、吸収性コアアセンブリ４５０は、２つの未接合領域４５９を含み、それぞれ第１取り付け領域４２０からすぐ横方向外側に配置されている。吸収性コアアセンブリ４５０は、未接合領域４５９上で伸縮性外側カバー４１０に接合しない。
【００９５】
各未接合領域４５９では、横方向外側側面が吸収性コアアセンブリ４５０の長手方向側面４５１に隣接し、横方向内側側面が第１取り付け領域４２０の長手方向側面４２１に隣接し、長手方向外側側面が第１取り付け領域４２０の長手方向外側縁部４２３から横方向に延びる想像線に隣接し、長手方向内側側面が第１取り付け領域４２０の長手方向内側縁部４２２から延びる想像線に隣接している。各未接合領域４５９は、吸収性コアアセンブリ４５０の長手方向側面４５１と第１取り付け領域４２０の長手方向側面４２１との間を横方向に測定される横方向幅４５７を有する。また、各未接合領域４５９は、第１取り付け領域の長手方向全長４２４に等しい長手方向長さを有する。
【００９６】
未接合領域の横方向幅は、絶対寸法の観点から、及び相対寸法の観点から理解できる。様々な実施形態では、未接合領域の横方向幅は、１〜３０ミリメートルの任意の幅、１〜２０ミリメートルの任意の幅、１〜１０ミリメートルの任意の幅、１〜５ミリメートルの任意の幅、又はこれらのいずれかの範囲内の幅（ミリメートル）の任意の整数値であってもよい。幾つかの実施形態では、未接合領域の横方向幅は、少なくとも３ミリメートル又は少なくとも５ミリメートルであるが、２０ミリメートル未満であってもよい。あるいは、幾つかの実施形態では、未接合領域の横方向幅は、吸収性コアアセンブリの横方向全幅の１％〜２０％の任意の割合、吸収性コアアセンブリの横方向全幅の１％〜１５％の任意の割合、吸収性コアアセンブリの横方向全幅の１％〜１０％の任意の割合、若しくは吸収性コアアセンブリの横方向全幅の１％〜５％の任意の割合、又はこれらのいずれかの範囲内の割合の任意の整数値であってもよい。
【００９７】
様々な実施形態では、第１取り付け領域の長手方向側面のいずれか又は両方は、第１取り付け領域の長手方向側面のいずれか又は両方が吸収性コアアセンブリの長手方向側面の部分と部分的に又は完全に一致するように、吸収性コアアセンブリの長手方向側面まで延在してもよい。長手方向外側縁部４２３は、吸収性コアアセンブリ４５０の第１縁部４５３に対して長手方向内側に配置されている。幾つかの実施形態では、第１取り付け領域の長手方向外側縁部は、第１取り付け領域の長手方向外側縁部が吸収性コアアセンブリの縁部と部分的又は完全に一致するように、吸収性コアアセンブリの縁部まで延在してもよい。
【００９８】
着用可能吸収性物品で吸収性コアアセンブリを伸縮性外側カバーに接合するための第１取り付け領域の特定の寸法は、図３Ａの実施形態に関連して記載される。更に、吸収性コアアセンブリよりも幅狭である第１取り付け領域は、吸収性コアアセンブリの縁部の任意の部分が「顔をのぞかせる」（すなわち、着用可能吸収性物品の腰縁部を超えて延在する）ことがないように十分に大きい必要がある。第１取り付け領域４２０は、第１取り付け領域３２０について記載される長手方向全長と同じ長手方向全長を有してもよい。
【００９９】
第１取り付け領域の横方向全幅は、絶対寸法の観点から、及び相対寸法の観点から理解できる。様々な実施形態では、第１取り付け領域の横方向全幅は、８０〜１４０ミリメートルの任意の幅、９０〜１３０ミリメートルの任意の幅、若しくは１００〜１２０ミリメートルの任意の幅、又はこれらのいずれかの範囲内の幅（ミリメートル）の任意の整数値であってもよい。あるいは、幾つかの実施形態では、第１取り付け領域の横方向全幅は、吸収性コアアセンブリの横方向全幅の７０％〜１００％の任意の割合、吸収性コアアセンブリの横方向全幅の７５％〜９５％の任意の割合、若しくは吸収性コアアセンブリの横方向全幅の８０％〜９０％の任意の割合、又はこれらのいずれかの範囲内の割合の任意の整数値であってもよい。
【０１００】
伸縮性外側カバー４１０は、第１取り付け領域４２０の下にある領域を含む。第１取り付け領域４２０の下にある伸縮性外側カバー４１０の領域は、伸縮性材料で形成されていても、形成されていなくてもよい。伸縮性外側カバー４１０はまた、２つの領域４６２を含み、それぞれは第１取り付け領域４２０からすぐ横方向外側に配置されている。領域４６２は、図３Ａの実施形態に関連して記載される領域３６２と同様の方法で構成されている。
【０１０１】
図４の実施形態では、物品の長手方向外側部分に配置される、第１取り付け領域４２０の比較的幅広の横方向全幅４２８は、吸収性コアアセンブリ４５０の第１縁部４５３に対する十分な構造的支持をもたらすことができるが、これは特に有用である。したがって、着用可能吸収性物品４００では、吸収性コアアセンブリ４５０は、漏れにくいけれども、物品４００の見栄えがよくて快適に感じることができるように、伸縮性外側カバー４１０に好適に接合できる。
【０１０２】
第２取り付け領域４３０全体は、着用可能吸収性物品４００の臀部４０６に配置されている。第１取り付け領域４２０は長手方向中心線４１３に重なり合い、着用可能吸収性物品４００内の横方向中心に置かれる。第２取り付け領域４３０全体はまた、第１取り付け領域４２０に対して長手方向内側かつ第３取り付け領域４４０から長手方向外側に配置されている。第２取り付け領域４３０は、第１取り付け領域４２０から離隔され、第３取り付け領域４３０から離隔されている。あるいは、第２取り付け領域は、図３Ａの実施形態に関連して記載されるように、第１取り付け領域及び／又は第３取り付け領域に隣接していてもよい。
【０１０３】
第２取り付け領域４３０は、長手方向側面４３１と、長手方向内側縁部４３２と、長手方向外側縁部４３３と、を含む。第２取り付け領域４３０は、実質的に均一の長手方向全長４３４と、実質的に均一の横方向全幅４３８と、を有する。
【０１０４】
第２取り付け領域４３０は、第１取り付け領域４２０よりも幅狭である。結果として、第２取り付け領域４３０の横方向全幅４３８は、第１取り付け領域４２０の横方向全幅４２８よりも小さい。第２取り付け領域４３０の長手方向側面４３１は、第１取り付け領域４２０の長手方向側面４２１に対して横方向内側、かつ吸収性コアアセンブリ４５０の長手方向側面４５１に対して横方向内側に配置されている。着用可能吸収性物品で吸収性コアアセンブリを伸縮性外側カバーに接合するための第２取り付け領域の特定の寸法は、図３Ａの実施形態に関連して記載されるように選択されてもよい。第２取り付け領域４３０は、第２取り付け領域３３０について記載される長手方向全長及び横方向全幅と同じ長手方向全長及び横方向全幅を有してもよい。
【０１０５】
伸縮性外側カバー４１０は、第２取り付け領域４３０の下にある領域を含む。第２取り付け領域４３０の下にある伸縮性外側カバー４１０の領域は、伸縮性材料で形成されていても、形成されていなくてもよい。伸縮性外側カバー４１０はまた、２つの領域４６３を含み、それぞれは第２取り付け領域４３０からすぐ横方向外側に配置されている。２つの領域４６３は、図３Ａの実施形態に関連して記載される領域３６３と同様の方法で構成されている。
【０１０６】
図４の実施形態では、着用可能吸収性物品４００の臀部４０６に配置される、第２取り付け領域４３０の比較的幅狭の横方向全幅４３８により、着用者の身体の長い周囲（例えば、臀部全体）における相当程度の伸張性が実現するが、これは特に有益である。したがって、着用可能吸収性物品４００では、吸収性コアアセンブリ４５０は、漏れにくいけれども、物品４００の見栄えがよくて快適に感じることができるように、伸縮性外側カバー４１０に好適に接合できる。
【０１０７】
第３取り付け領域４４０の実質的に全体は、着用可能吸収性物品４００の股部４０７内に配置されている。第３取り付け領域４４０は長手方向中心線４１３に重なり合い、着用可能吸収性物品４００内の横方向中心に置かれる。第３取り付け領域４４０の全体は、第２取り付け領域４３０に対して長手方向内側に配置されている。第３取り付け領域４４０は、第２取り付け領域４３０から離隔されている。あるいは、第３取り付け領域は、図３Ａの実施形態に関連して記載されるように、第２取り付け領域に隣接していてもよい。
【０１０８】
第３取り付け領域４４０は、長手方向側面４４１と、長手方向内側縁部４４２と、長手方向外側縁部４４３と、を含む。第３取り付け領域４４０は、実質的に均一の横方向全幅４４８を有してもよい。図４の実施形態では、第３取り付け領域４４０の横方向全幅４４８は、第２取り付け領域４３０の横方向全幅４３８よりも小さい。第３取り付け領域４４０の長手方向側面４４１は、第２取り付け領域４３０の長手方向側面４３１に対して横方向内側、かつ吸収性コアアセンブリ４５０の長手方向側面４５１に対して横方向内側に配置されている。
【０１０９】
着用可能吸収性物品で吸収性コアアセンブリを伸縮性外側カバーに接合するための第３取り付け領域の特定の寸法は、図３Ａの実施形態に関連して記載されるように選択されてもよい。
【０１１０】
伸縮性外側カバー４１０は、第３取り付け領域４４０の下にある領域を含む。第３取り付け領域４４０の下にある伸縮性外側カバー４１０の領域は、伸縮性材料で形成されていても、形成されていなくてもよい。伸縮性外側カバー４１０はまた、２つの領域４６４を含み、それぞれ第３取り付け領域４４０からすぐ横方向外側に配置されている。２つの領域４６４は、図３Ａの実施形態に関連して記載される領域３６４と同様の方法で構成されている。
【０１１１】
図４の実施形態では、着用可能吸収性物品４００の第３取り付け領域４４０は、股部４０７内において、伸縮性外側カバー４１０の内側の定位置に吸収性コアアセンブリ４５０を十分に保持できてもよい。したがって、着用可能吸収性物品４００では、吸収性コアアセンブリ４５０は、漏れにくいけれども、物品４００の見栄えがよくて快適に感じることができるように、伸縮性外側カバー４１０に好適に接合できる。
【０１１２】
図５Ａ〜１０Ｂの実施形態は、吸収性コアアセンブリを着用可能吸収性物品の外側カバーに接合するための様々な例示の取り付け領域について記載し、これらを図示する。明確にするために、図５Ａ〜１０Ｂのそれぞれは、着用可能吸収性物品の残りの部分から分離した外側カバーの一部と、吸収性コアアセンブリの一部とを示す。また、明確にするために、吸収性コアアセンブリの部分は目に見えないもの（目に見える外側縁部を有する）として図示され、取り付け領域を見やすくする。
【０１１３】
図５Ａ〜１０Ｂは、１つ以上の接続から形成される取り付け領域を示す。特に指定のない限り、図５Ａ〜１０Ｂの実施形態における各接続は、吸収性コアアセンブリの一部を外側カバーの一部に保持するための任意の種類の接続であってもよい。更に、これらの各接続は、任意の数であり、かつ任意の種類の接続の任意の組み合わせであってもよい。例としては、接続は、当業者に理解されるように、永続的な接続（接着結合、粘着結合、溶解結合、熱結合、又は超音波結合など）、脆弱な接続（特定の力を受けると破断する又は接続が解ける）、再締結可能な接続（複数回使用できるように構成される）、マイクロファスナー接続（面ファスナーシステムなど）、マクロファスナー接続（スナップ、ボタン、又はタブスロットなど）、又は接続構造体（留め金、ストラップ、又はファスナー）などであってもよい。
【０１１４】
更に、図５Ａ〜１０Ｂの各接続は直接的な接続であるが、当業者に理解されるように、各実施形態は、追加の層、構造体、及び／又は他の接続を用いて変更して、本開示の実施形態において吸収性コアアセンブリを着用可能吸収性物品の外側カバーに接合するためにも使用できる、間接的な接続を形成してもよい。
【０１１５】
図５Ａは、本開示の実施形態による、取り付け領域５９４上で伸縮性外側カバー５７１の一部に接合された吸収性コアアセンブリ５７５の一部を備える着用可能吸収性物品５７０の一部を示す。取り付け領域５９４は、取り付け領域５９４上で実質的に連続的に吸収性コアアセンブリ５７５の一部を伸縮性外側カバー５７１の一部に直接接続する、単一の中空ではない正方形の接続部５９２である。取り付け領域５９４の外側境界は、接続部５９２の外側の範囲によって画定される。図５Ｂは、図５Ａの実施形態の断面図を示す。
【０１１６】
図６Ａは、本開示の実施形態による、取り付け領域６９４上で伸縮性外側カバー６７１の一部に接合された吸収性コアアセンブリ６７５の一部を備える着用可能吸収性物品６７０の一部を示す。取り付け領域６９４は、取り付け領域６９４上で規則的だが不連続に吸収性コアアセンブリ６７５の一部を伸縮性外側カバー６７１の一部に直接接続する、接続部６９２の複数の矩形ストライプの一次元配列によって形成されている。接続部６９２は、取り付け領域６９４の未接合部分６９３によって離隔されている。未接合部分６９３にもかかわらず、吸収性コアアセンブリ６７５の一部は、取り付け領域６９４全体上で伸縮性外側カバー６７１の一部に接合すると見なされ、これは、伸縮性外側カバー６７１の一部が、取り付け領域６９４全体上で、吸収性コアアセンブリ６７５の一部に関する相対運動を効果的に制約するからである。図６Ａでは、取り付け領域６９４は、接続部６９２の最も外側のストライプの外側及び接続部６９２のストライプの縁部によって画定される。取り付け領域６９４の外側境界は、点線で示される。図６Ａでは、接続部６９２の複数の矩形ストライプは均一に離隔されて示されているが、必ずしもこのような均一の間隔でなくてもよい。更に、接続部６９２のいずれかが様々な形状を有してもよい。例えば、接続部６９２の一部、又は複数の部分、又は全体は、直線形状、湾曲形状、有角形状、分割形状、若しくは別の形状、又はこれらのいずれかの形状の組み合わせであってもよい。図６Ｂは、図６Ａの実施形態の断面図を示す。
【０１１７】
図７Ａは、本開示の実施形態による、取り付け領域７９４上で伸縮性外側カバー７７１の一部に接合された吸収性コアアセンブリ７７５の一部を備える着用可能吸収性物品７７０の一部を示す。取り付け領域７９４は、取り付け領域７９４上で規則的だが、不連続に吸収性コアアセンブリ７７５の一部を伸縮性外側カバー７７１の一部に直接接続する、複数の円形接続部７９２の二次元配列によって形成される。接続部７９２は、取り付け領域７９４の未接合部分７９３によって離隔されている。未接合部分７９３にもかかわらず、吸収性コアアセンブリ７７５の一部は、取り付け領域７９４全体上で伸縮性外側カバー７７１の一部に接合すると見なされ、これは、伸縮性外側カバー７７１の一部が、取り付け領域７９４全体上で、吸収性コアアセンブリ７７５の一部に対する相対運動を効果的に制約するからである。図７Ａでは、取り付け領域７９４は、最も外側の接続部７９２の外側にある接点によって画定されている。取り付け領域７９４の外側境界は、点線で示される。複数の円形接続部７９２は、図７Ａにおいて均一に離隔されて示されているが、必ずしもこのような均一の間隔でなくてもよい。更に、接続部７９２のいずれかが様々な形状を有してもよい。例えば、接続部７９２は、円形、楕円形、長円形、三角形、正方形、多角形、星形、若しくは別の形状、又はこれらの形状のいずれかの組み合わせと同様の形状であるか、同じ形状である全体形状を有してもよい。図７Ｂは、図７Ａの実施形態の断面図を示す。
【０１１８】
図８Ａは、本開示の実施形態による、取り付け領域８９４上で伸縮性外側カバー８７１の一部に接合されている吸収性コアアセンブリ８７５の一部を備える着用可能吸収性物品８７０の一部を示す。取り付け領域８９４は、取り付け領域８９４上で規則的だが、不連続に吸収性コアアセンブリ８７５の一部を伸縮性外側カバー８７１の一部に直接接続する、単一の中空の正方形の接続部８９２によって形成される。接続部８９２の中心に存在する未接合部分８９３のために、接続部８９２は中空と見なされる。未接合部分８９３にもかかわらず、吸収性コアアセンブリ８７５の一部は、取り付け領域８９４全体上で伸縮性外側カバー８７１の一部に接合すると見なされ、これは、伸縮性外側カバー８７１の一部が、取り付け領域８９４全体上で、吸収性コアアセンブリ８７５の一部に対する相対運動を効果的に制約するからである。図８Ａでは、取り付け領域８９４は、接続部８９２の外側の範囲によって画定される。接続部８９２は、４個の直線側面を備える正方形として示されるが、接続部８９２は様々な形状を有してもよい。例えば、接続部８９２の側面の１つ以上の一部、又は複数の部分、又は全体は、直線形状、湾曲形状、有角形状、分割形状、若しくは別の形状、又はこれらのいずれかの形状の組み合わせであってもよい。また、例として、接続部８９２は、円形、楕円形、長円形、三角形、正方形、多角形、星形、若しくは別の形状、又はこれらの形状のいずれかの組み合わせと同様の形状であるか、同じ形状である全体形状を有してもよい。図８Ｂは、図８Ａの実施形態の断面図を示す。
【０１１９】
図９Ａは本開示の実施形態による、取り付け領域９９４上で伸縮性外側カバー９７１の一部に接合されている吸収性コアアセンブリ９７５の一部を備える着用可能吸収性物品９７０の一部を示す。取り付け領域９９４は、取り付け領域９９４上で不連続に吸収性コアアセンブリ９７５の一部を伸縮性外側カバー９７１の一部に直接接続する、接続部９９２の２個の矩形ストライプによって形成される。接続部９９２は、取り付け領域９９４の未接合部分９９３によって離隔されている。未接合部分９９３にもかかわらず、吸収性コアアセンブリ９７５の一部は、取り付け領域９９４全体上で伸縮性外側カバー９７１の一部に接合すると見なされ、これは、伸縮性外側カバー９７１の一部が、取り付け領域９９４全体上で、吸収性コアアセンブリ９７５の一部に対する相対運動を効果的に制約するからである。図９Ａでは、取り付け領域９９４は、接続部９９２のストライプの外側及び接続部９９２のストライプの縁部によって画定されている。取り付け領域９９４の外側境界は、点線で示される。あるいは、接続部９９２のいずれかが様々な形状を有してもよい。図９Ｂは、図９Ａの実施形態の断面図を示す。
【０１２０】
図１０Ａは、本開示の実施形態による、取り付け領域１０９４上で伸縮性外側カバー１０７１の一部に接合されている吸収性コアアセンブリ１０７５の一部を備える着用可能吸収性物品１０７０の一部を示す。取り付け領域１０９４は、取り付け領域１０９４上で不連続に吸収性コアアセンブリ１０７５の一部を伸縮性外側カバー１０７１の一部に直接接続する、接続部１０９２の不規則に分布するストライプによって形成される。代替の実施形態では、接続部のストライプはまた、スパイラル接着、メルトブローイング、接着剤パターンの印刷、又は当業者に既知のその他の接続形成方法によって形成されてもよい。接続部１０９２は、取り付け領域１０９４の未接合部分１０９３によって離隔されている。未接合部分１０９３にもかかわらず、吸収性コアアセンブリ１０７５の一部は、取り付け領域１０９４全体上で伸縮性外側カバー１０７１の一部に接合すると見なされ、これは、伸縮性外側カバー１０７１の一部が、取り付け領域１０９４全体上で、吸収性コアアセンブリ１０７５の一部に対する相対運動を効果的に制約するからである。図１０Ａでは、取り付け領域１０９４は、接続部１０９２のストライプの範囲によって画定されている。取り付け領域１０９４の外側境界は、点線で示される。あるいは、接続部１０９２のストライプのいずれかが様々な形状を有してもよい。図１０Ｂは、図１０Ａの実施形態の断面図を示す。
【０１２１】
本開示は、伸縮性外側カバーに好適に接合された吸収性コアアセンブリを備える着用可能吸収性物品を含む。吸収性コアアセンブリには、十分な構造的一体性及び支持体が備わっているが、伸縮性外側カバーは、相当程度まで伸張でき、これは、戦略的に適切な寸法であり、物品内に配置される取り付け領域によって、吸収性コアアセンブリが伸縮性外側カバーに接合されるためである。したがって、本開示の着用可能吸収性物品は、漏れにくいけれども、物品の見栄えがよくて快適に感じることができる。
【０１２２】
本開示は、当業者に理解されるように、本明細書に開示される様々な実施形態が吸収性物品の様々な追加の構造体及び／又は代替の構造体と組み合わせて用いられ得ることを想到する。
【０１２３】
方法
ヒステリシス試験
次の試験方法は、コンピュータとインターフェイス接続された市販引張試験機（例えば、Ｉｎｓｔｒｏｎ  Ｅｎｇｉｎｅｅｒｉｎｇ  Ｃｏｒｐ．（Ｃａｎｔｏｎ，ＭＡ）のもの、ＳＩＮＴＥＣＨ−ＭＴＳ  Ｓｙｓｔｅｍｓ  Ｃｏｒｐｏｒａｔｉｏｎ（Ｅｄｅｎ  Ｐｒａｉｒｉｅ，ＭＮ）のもの、又は同等物）を利用する。コンピュータを使用して、試験速度及び他の試験パラメータを制御し、かつデータの収集、計算、及び報告を行う。試験は、２３℃±２℃及び湿度５０％±２％の実験室条件下で行われる。試料は試験前に２４時間条件付けされる。
【０１２４】
１．試験に使用する２．５４ｃｍ（幅）×７．６２ｃｍ（長さ）の材料試料を選択する。場合によっては、２．５４ｃｍ×７．６２ｃｍの試料を得ることが不可能であれば、より小さい試料を使用してもよいが、その場合も２５ｍｍの標点距離を使用しなくてはならない。試料が活性化している、又は活性部分を含む場合、試料の長さは、活性方向に取る。
２．適切なつかみ具及びロードセルを選択する。つかみ具は平らな表面を有する必要があり、試料を適応させるために十分に幅広（例えば、少なくとも幅２．５４ｃｍ）でなくてはならない。また、つかみ具は、試料が試験中に滑らないことを確実にするために十分な力を提供しなくてはならない。試験する試料からの引張応答が、使用するロードセルの許容量の２５％〜７５％であるようにロードセルを選択する。
３．メーカーの指示に従って試験装置を較正する。
４．グリップの間の距離を２５ｍｍに設定する。
５．試料の長手方向軸線が標点距離方向に実質的に平行になるようにつかみ具の平面に試料を定置する。最少のたるみで試料を装着する。たるみの予負荷を０．０２Ｎ／ｃｍに設定する。これは、０．０２Ｎ／ｃｍの力でたるみが取り除かれたときにデータ収集が始まることを意味する。ひずみは、０．０２Ｎ／ｃｍの力での引張試験機のグリップの間の試料の長さである、調整された標点距離（ｌｉｎｉ）に基づいて計算される。調整された標点距離は試料の初期長さとして取られ、０％のひずみに相当する。試験中の任意の点でのひずみ百分率は、長さにおける変化を、調整された標点距離で割って、１００％を掛けることによって得られる。
６（ａ）．第１周期負荷：２５４ｍｍ／分の一定クロスヘッド速度で試料を５０％のひずみまで引っ張る。
６（ｂ）．第１周期除荷：５０％のひずみで試料を３０秒間保持し、続いてクロスヘッドを２５４ｍｍ／分の一定のクロスヘッド速度でその開始位置（０％のひずみ）に戻す。試料をひずみのない状態で１分間保持する。
６（ｃ）．第２周期負荷によるひずみ：０．０５Ｎ／２５．４ｍｍ（０．０２０Ｎ／ｃｍ）の負荷に達するまで、２５４ｍｍ／分の一定クロスヘッド速度で試料を引っ張る。伸びた標点距離（ｌｅｘｔ）を記録する。次に、２５４ｍｍ／分の一定のクロスヘッド速度でクロスヘッドをその開始位置（ひずみなし）に戻す。ひずみは、０．０５Ｎ／２５．４ｍｍ（０．０２０Ｎ／ｃｍ）の第２周期負荷でのひずみとして定義される。下記のように％ひずみを計算する。
６（ｄ）．第２周期除荷：次に、２５４ｍｍ／分の一定のクロスヘッド速度でクロスヘッドをその開始位置（ひずみなし）に戻す。
【０１２５】
％ひずみは、０．０５Ｎ／２５．４ｍｍ（０．０２０Ｎ／ｃｍ）の第２周期負荷での％ひずみとして定義される。下記のように％ひずみを計算する。
【０１２６】
コンピュータデータシステムが、試験中に試料にかけられる力を適用されたひずみの関数に応じて記録する。その結果得られる生成されたデータから、以下の数量が報告される（報告される負荷は、試料の厚みを考慮せずに力を試料の幅で割って得られることに注意）。
１．  ２５％のひずみ及び５０％のひずみでの負荷（Ｎ／ｃｍ）
２．  ％ひずみ（０．０５Ｎ／２５．４ｍｍ（０．０２０Ｎ／ｃｍ）の第２周期負荷で測定される％ひずみ）
３．  ％ひずみ＝（ｌｅｘｔ−ｌｉｎｉ）／ｌｉｎｉ＊１００％
それぞれの試料について５回繰り返し、平均値及び標準偏差を報告する。
【０１２７】
採寸法
本明細書では、様々な寸法及びそれらの割合が指定される。各寸法は、次の方法に従って測定される。全ての試験を約２３℃±２℃及び約５０％±２％の相対湿度に維持された調湿された室で実施する。本明細書において、試料の幅及び長さは、本明細書に定義されるように、横方向幅及び長手方向長さである。試料を試験前に２時間、約２３℃±２℃、約５０％±２％の相対湿度で予め調整する。
【０１２８】
試験に使用する物品を下記のように準備する。
１．実質的に平らで水平の表面に物品を置く。
２．吸収性コアアセンブリを縮小させるように作用するプロセスによる収縮が引き出されるように、物品を表面に固定する。例えば、物品の長手方向縁部及び／又は吸収性コアアセンブリに沿って物品若しくは弾性材に適用した、予め収縮させたウエストバンドは、物品を横方向に又はそれぞれ長手方向に縮小してよく、したがって、任意のかかるプロセスによる収縮が引き出される。物品は、吸収性コアアセンブリを保持でき、プロセスによる縮小が引き出されるクランプ又は接着テープを使用して、平らで水平の表面に固定する。
３．本明細書に記載の定義ごとに、各取り付け領域、吸収性コアアセンブリ、任意の未接合領域、及び物品の幅及び／又は長さを測定する位置を識別する。これは、臀部を画定することも含む。
４．ＮＩＳＴに準拠するスチール定規を使用して１ｍｍ単位で必要な各寸法を測定する。
５．割合＝１００％×［第１測定値／第２測定値］の式に従って、全ての必要な割合を計算する。
【０１２９】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【０１３０】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【０１３１】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１Ａ】
2012525951.tif 000003
【図１Ｂ】
2012525951.tif 000004
【図１Ｃ】
2012525951.tif 000005
【図１Ｄ】
2012525951.tif 000006
【図１Ｅ】
2012525951.tif 000007
【図１Ｆ】
2012525951.tif 000008
【図２Ａ】
2012525951.tif 000009
【図２Ｂ】
2012525951.tif 000010
【図２Ｃ】
2012525951.tif 000011
【図２Ｄ】
2012525951.tif 000012
【図２Ｅ】
2012525951.tif 000013
【図３Ａ】
2012525951.tif 000014
【図３Ｂ】
2012525951.tif 000015
【図３Ｃ】
2012525951.tif 000016
【図４】
2012525951.tif 000017
【図５Ａ】
2012525951.tif 000018
【図５Ｂ】
2012525951.tif 000019
【図６Ａ】
2012525951.tif 000020
【図６Ｂ】
2012525951.tif 000021
【図７Ａ】
2012525951.tif 000022
【図７Ｂ】
2012525951.tif 000023
【図８Ａ】
2012525951.tif 000024
【図８Ｂ】
2012525951.tif 000025
【図９Ａ】
2012525951.tif 000026
【図９Ｂ】
2012525951.tif 000027
【図１０Ａ】
2012525951.tif 000028
【図１０Ｂ】
2012525951.tif 000029
【国際調査報告】
2012525951.tif 000030
2012525951.tif 000031
2012525951.tif 000032